(57)【要約】  独立型ＵＭＡネットワークアクセスセッションの間に、単一のＣＧＩ構造要素内でＧＳＭ位置情報およびＵＭＡ料金請求情報をカプセル化させるための方法は、複数の動作を含む。移動局（ＭＳ）の位置情報を圧縮すること、再調整すること、および再パッケージ化することのうちの少なくとも１つを引き起こし、それによって、スペースを保持しているＭＳ位置情報の一部が未使用になるように、当該ＭＳ位置情報によって占有されたＧＳＭ／ＥＤＧＥ無線アクセスネットワーク（ＧＥＲＡＮ）セルグローバル識別性（ＣＧＩ）構造要素のＭＳ位置情報の量が削減されるように、独立型ＵＭＡネットワークアクセスセッションの間に、少なくとも１つのアルゴリズムを加入者デバイスにサービス提供している当該ＭＳ位置情報に適用するための動作が提供される。ＵＭＡ料金請求情報を、スペースを保持している当該ＭＳ位置情報の未使用部分の少なくとも一部内に挿入するための動作が実行される。
2011503972.tif 000002
【特許請求の範囲】
【請求項１】
独立型ＵＭＡネットワークアクセスセッションの間に、単一のＣＧＩ構造要素内でＧＳＭ位置情報およびＵＭＡ料金請求情報をカプセル化させるための方法であって、
独立型ＵＭＡネットワークアクセスセッションの間に、加入者デバイスにサービス提供している移動局（ＭＳ）の位置情報を含む、ＧＳＭ／ＥＤＧＥ無線アクセスネットワーク（ＧＥＲＡＮ）セルグローバル識別（ＣＧＩ）構造要素を提供することと、
ＭＳ位置情報の一部が未使用になるように、前記ＭＳ位置情報によって占有されたＧＥＲＡＮ  ＣＧＩ構造要素のスペースを保持しているＭＳ位置情報の量を削減する目的で、前記ＭＳ位置情報を操作することと、
ＵＭＡ料金請求情報を用いて、スペースを保持している前記ＭＳ位置情報の前記未使用の部分の少なくとも一部を占有することとを含む、方法。
【請求項２】
前記ＭＳ位置情報を操作することが、少なくとも１つのネットワーク特定のアルゴリズムを前記ＭＳ位置情報に適用することを含む、請求項１に記載の方法。
【請求項３】
前記少なくとも１つのアルゴリズムを適用することが、前記ＭＳ位置情報の圧縮、再調整、および再パッケージのうちの少なくとも１つを引き起こす、請求項２に記載の方法。
【請求項４】
前記ＭＳ位置情報を操作することが、前記ＭＳ位置情報を圧縮すること、再調整すること、および再パッケージ化することのうちの少なくとも１つを含む、請求項１に記載の方法。
【請求項５】
前記ＭＳ位置情報が、ロケーションエリア識別（ＬＡＩ）情報およびセル識別（ＣＩＤ）情報を含む、請求項１に記載の方法。
【請求項６】
ＵＭＡ料金請求情報を用いて、前記保持しているスペースの前記未使用部分を占有することが、前記ＵＭＡ料金請求情報を、スペースを保持している前記ＭＳ位置情報の前記未使用部分の少なくとも一部内に挿入することを含む、請求項１に記載の方法。
【請求項７】
前記ＭＳ位置情報を操作することが、少なくとも１つのネットワーク特定のアルゴリズムを前記ＭＳ位置情報に適用することを含む、請求項６に記載の方法。
【請求項８】
前記ＭＳ位置情報が、ロケーションエリア識別（ＬＡＩ）情報およびセル識別（ＣＩＤ）情報を含む、請求項７に記載の方法。
【請求項９】
前記少なくとも１つのアルゴリズムを適用することが、前記ＭＳ位置情報の圧縮、再位置合わせ、および再パッケージ化のうちの少なくとも１つを引き起こす、請求項８に記載の方法。
【請求項１０】
独立型ＵＭＡネットワークアクセスセッションの間に、単一のＣＧＩ構造要素内で、ＧＳＭ位置情報およびＵＭＡ料金請求情報をカプセル化させることが可能なサーバまたはゲートウェイであって、
独立型ＵＭＡネットワークアクセスセッションの間に、加入者デバイスにサービス提供している移動局（ＭＳ）の位置情報を含む、ＧＳＭ／ＥＤＧＥ無線アクセスネットワーク（ＧＥＲＡＮ）セルグローバル識別（ＣＧＩ）構造要素を提供し、
ＭＳ位置情報の一部が未使用になるように、前記ＭＳ位置情報によって占有されたＧＥＲＡＮ  ＣＧＩ構造要素のスペースを保持しているＭＳ位置情報の量を削減する目的で、前記ＭＳ位置情報を操作し、
ＵＭＡ料金請求情報を用いて、スペースを保持している前記ＭＳ位置情報の前記未使用の部分の少なくとも一部を占有するように構成された、サーバまたはゲートウェイ。
【発明の詳細な説明】
【技術分野】
【０００１】
本明細書で行われる開示は、一般に、無線電気通信の方法論およびシステムに関し、より詳細には、免許不要モバイルアクセスに関する汎用セルグローバル識別（ｇｅｎｅｒｉｃ  ｃｅｌｌ  ｇｌｏｂａｌ  ｉｄｅｎｔｉｔｙ）を実装することに関する。
【背景技術】
【０００２】
免許不要モバイルアクセス（ＵＭＡ）技術は、免許不要のスペクトル技術を介して、移動体通信用グローバルシステム（ＧＳＭ）サービスおよび汎用パケット無線サービス（ＧＰＲＳ）サービスにアクセスを提供する。かかる免許不要のスペクトル技術の例は、Ｂｌｕｅｔｏｏｔｈワイヤレスソリューションおよびワイヤレス忠実度（ＷｉＦｉ）ワイヤレスソリューションを含むが、これらに限定されない。ＵＭＡ技術を配備することによって、サービスプロバイダは、無線加入者が、デュアルモードモバイルＧＳＭ／ＧＰＲＳ可能にされたハンドセット、およびデュアルモードモバイルＵＭＡ可能にされたハンドセット、ＰＤＡなどを使用して、セルラネットワークと免許不要のセルラネットワークとの間をローミングおよびハンドオーバすることを可能にする。したがって、ＵＭＡ技術は、無線加入者がＵＭＡネットワークアクセスセッションに従事することを実現する。
【０００３】
料金請求オプションは、異なるパターンでＵＭＡ使用に料金請求する柔軟性をサービスプロバイダに与える。セルグローバル識別（ＣＧＩ）ベースの料金請求解決法を使用することによって、これらのパターンは、ＵＭＡ  ＣＧＩ内に反映されて、モバイルサービススイッチングセンタ（ＭＳＣ）に渡され、その結果、ＭＳＣにおける料金請求システムは、それぞれの使用パターンに適切な料金請求オプションを適用することが可能になる。
【発明の概要】
【発明が解決しようとする課題】
【０００４】
Ａｌｃａｔｅｌ−Ｌｕｃｅｎｔによって現在提供されている独立型ＵＭＡネットワークアーキテクチャは、ＵＭＡ機能性がレガシーコアネットワーク内に費用効果的に統合されることを可能にする。独立型ＵＭＡネットワークアクセスセッションでは、ＵＭＡ  ＣＧＩは、ＧＳＭ位置情報ならびにＵＭＡ料金請求情報の両方をカプセル化する必要がある。しかし、かかる独立型ＵＭＡネットワーク実装形態の場合、ＵＭＡ  ＣＧＩがＧＳＭ位置情報およびＵＭＡ料金請求情報の両方をカプセル化することを可能にする、知られている解決法は存在しない。次世代ネットワーク（ＮＧＮ）においてＧＳＭ位置情報およびＵＭＡ料金請求情報の両方をカプセル化するために、２つの関連するＣＧＩ（すなわち、ＵＭＡ登録ＣＧＩおよびＵＭＡ料金請求ＣＧＩ）が使用され得ることが知られているが、かかる解決法は、独立型ＵＭＡネットワークアーキテクチャと共働しない。例えば、かかる２つのＣＧＩ解決法の実装は、かかる呼を処理しているＭＳＣによって拒否されている結果をもたらす可能性がある。したがって、独立型ＵＭＡネットワークアクセスセッションの間に、ＧＳＭ位置情報およびＵＭＡ料金請求情報の両方がカプセル化されることを可能にするための解決法は、有利で、望ましく、かつ有用であろう。
【課題を解決するための手段】
【０００５】
本発明の実施形態は、独立型ＵＭＡネットワークアクセスセッションの間に、ＧＳＭ位置情報およびＵＭＡ料金請求情報の両方が、カプセル化されることを可能にする。より詳細には、本発明の実施形態は、その中にカプセル化されたＧＳＭ位置情報およびＵＭＡ料金請求情報を有する単一のＵＭＡ  ＣＧＩが存在する、１つのＣＧＩベースのＵＭＡ（すなわち、ＵＭＡ汎用ＣＧＩ）を提供する。かかる単一のＵＭＡ  ＣＧＩは、例えば、登録手順、位置更新手順、および通常のＵＭＡ呼など、ＵＭＡネットワークアクセスセッションプロセスにおいて使用される。このために、本発明による単一のＵＭＡ  ＣＧＩは、基礎としてＧＳＭ／ＥＤＧＥ無線アクセスネットワーク（ＧＳＭ  Ｅｄｇｅ  Ｒａｄｉｏ  Ａｃｃｅｓｓ  Ｎｅｔｗｏｒｋ）（ＧＥＲＡＮ）ＣＧＩを使用して、ＵＭＡ料金請求情報に関する追加の情報を加えることによって構成される。
【０００６】
本発明による単一のＵＭＡ  ＣＧＩの目的は、１つのＵＭＡ  ＣＧＩだけを使用して、既存の２つのＣＧＩ手法（ＵＭＡ登録ＣＧＩおよびＵＭＡ料金請求ＣＧＩ）に対して、個々のカスタマニーズおよび特定のネットワーク状態を適合させために十分柔軟な代替形態を提供することと、既存のＭＳＣおよび必要とされるメンテナンスオーバヘッドに対する影響を最小限に抑えることとを含む。さらに、本発明による単一のＵＭＡ  ＣＧＩは、ＧＥＲＡＮモバイル位置情報を保存して、コアネットワークにおける料金請求を円滑にするためのＵＭＡ料金請求オプションを含み、（移動局を含めて）すべてのＵＭＡネットワークノード内でＵＭＳ  ＣＧＩを構成／使用／共有するための均一かつ一定の形式を提供し、１つのＣＧＩ内で料金請求情報およびＧＳＭ位置情報を捕捉し、位置更新を削減して、それによって、ＭＳＣおよびＨＬＲの貴重な帯域幅を節約し、法執行機関および緊急センターがＭＳを突き止め得ることを可能にし、ＵＭＡ料金請求範疇を提供することによって、料金請求システムをサポートするという点で有利である。本発明の一実施形態では、独立型ＵＭＡネットワークアクセスセッションの間に、単一のＣＧＩ構造要素内でＧＳＭ位置情報およびＵＭＡ料金請求情報をカプセル化させるための方法は、複数の動作を含む。独立型ＵＭＡネットワークアクセスセッションの間に、加入者デバイスにサービス提供しているＭＳの位置情報を含むＧＥＲＡＮ  ＣＧＩ構造要素を提供するための動作が実行される。ＭＳ位置情報の一部が未使用になるように、当該ＭＳ位置情報によって占有されたＧＥＲＡＮ  ＣＧＩ構造要素のスペースを保持しているＭＳ位置情報の量を削減する目的で、当該ＭＳ位置情報を操作するための動作が実行される。ＵＭＡ料金請求情報を用いて、スペースを保持している当該ＭＳ位置情報の未使用部分の少なくとも一部を占有するための動作が実行される。
【０００７】
本発明のもう１つの実施形態では、独立型ＵＭＡネットワークアクセスセッションの間に、単一のＣＧＩ構造要素内でＧＳＭ位置情報およびＵＭＡ料金請求情報をカプセル化させるための方法は、複数の動作を含む。ＭＳ位置情報を圧縮すること、再調整すること、および再パッケージ化することのうちの１つを引き起こし、それによって、ＭＳ位置情報の一部が未使用になるように、当該ＭＳ位置情報によって占有されたＧＥＲＡＮ  ＣＧＩ構造要素のスペースを保持しているＭＳ位置情報の量が削減されるように、独立型ＵＭＡネットワークアクセスセッションの間に、少なくとも１つのアルゴリズムを加入者デバイスにサービス提供している当該ＭＳの位置情報に適用するための動作が提供される。ＵＭＡ料金請求情報を、スペースを保持している当該ＭＳ位置情報の未使用部分の少なくとも一部内に挿入するための動作が実行される。
【０００８】
本発明のさらにもう１つの実施形態では、サーバまたはゲートウェイは、独立型ＵＭＡネットワークアクセスセッションの間に、単一のＣＧＩ構造要素内でＧＳＭ位置情報およびＵＭＡ料金請求情報をカプセル化させることが可能である。このサーバまたはゲートウェイは、（ｉ）独立型ＵＭＡネットワークアクセスセッションの間に、加入者デバイスにサービス提供している移動局（ＭＳ）の位置情報を含むＧＥＲＡＮ  ＣＧＩ構造要素を提供し、（ｉｉ）ＭＳ位置情報の一部が未使用になるように、当該ＭＳ位置情報によって占有されたＧＥＲＡＮ  ＣＧＩ構造要素のスペースを保持しているＭＳ位置情報の量を削減する目的で、ＭＳ位置情報を操作し、（ｉｉｉ）ＵＭＡ料金請求情報を用いて、スペースを保持している当該ＭＳ位置情報の未使用部分の少なくとも一部を占領するように構成される。
【０００９】
本発明のこれらのおよびその他の目的、実施形態、利点、ならびに／または特徴は、以下の明細書、関連する図面、および添付の特許請求の範囲をさらに見直すと容易に明らかになるであろう。
【図面の簡単な説明】
【００１０】
【図１】独立型ＵＭＡネットワークアクセスセッションの間に、単一のＣＧＩ構造要素内でＧＳＭ位置情報およびＵＭＡ料金請求情報をカプセル化させる、本発明の実施形態による方法を示す図である。
【図２】３ＧＰＰ  ＴＳ２４．００８（すなわち、第３世代パートナーシッププロジェクト技術仕様書２４．００８）による、ＧＥＲＡＮロケーションエリア識別（ＬＡＩ）を示す図である。
【図３】図２のＧＥＲＡＮロケーションエリア識別（ＬＡＩ）に対応するＧＥＲＡＮ  ＣＧＩ構造要素を示す図である。
【図４】本発明の実施形態による、単一のＵＭＡ  ＣＧＩ構造要素を示す図である。
【発明を実施するための形態】
【００１１】
図１は、本発明の実施形態による方法１００を示す。方法１００は、独立型ＵＭＡネットワークアクセスセッションの間に、単一のＣＧＩ構造要素内でＧＳＭ位置情報およびＵＭＡ料金請求情報をカプセル化させる（すなわち、本明細書において、独立型ＵＭＡ  ＣＧＩ機能性または汎用ＣＧＩとも呼ばれる）。方法１００は、基本的なＣＧＩ構造要素として、ＧＥＲＡＮ  ＣＧＩを使用して、ＵＭＡ料金請求情報に関する追加の情報をＧＥＲＡＮ  ＣＧＩに加えることによって、かかるカプセル化を達成する。
【００１２】
方法１００は、独立型ＵＭＡネットワークアクセスセッションの間に、加入者デバイスにサービス提供しているＭＳの位置情報を含むＧＥＲＡＮ  ＣＧＩ構造要素を提供するための動作１０５を含む。ＭＳ位置情報は、ロケーションエリア識別（ＬＡＩ）情報と、セル識別（ＣＩＤ）情報とを含む。提供されているＧＥＲＡＮ  ＣＧＩ構造要素に応答して、ＭＳ位置情報の一部が未使用になるように、当該ＭＳ位置情報によって占有されたＧＥＲＡＮ  ＣＧＩ構造要素のスペースを保持しているＭＳ位置情報の量を削減する目的で、当該ＭＳ位置情報を操作するための動作１１０が実行される。一実施形態では、ＭＳ位置情報を操作する動作は、当該ＭＳ位置情報を圧縮させるため、再調整させるため、かつ／または再パッケージ化させるために、少なくとも１つのネットワーク特定のアルゴリズムを当該ＭＳ位置情報に適用することを含むことが好ましい。かかる操作が実行された後で、ＵＭＡ料金請求情報を用いて、スペースを占有している当該ＭＳ位置情報の未使用部分の少なくとも一部を占有するための動作１１５が実行される。一実施形態では、ＵＭＡ料金請求情報を用いて、保持しているスペースの未使用部分を占有する動作は、ＵＭＡ料金請求情報を、スペースを保持している当該ＭＳ位置情報の未使用部分の少なくとも一部内に挿入することを含むことが好ましい。
【００１３】
したがって、方法１００の開示に鑑みて、当業者は、独立型ＵＭＡネットワークアクセスセッションの間に、単一のＣＧＩ構造要素内でＧＳＭ位置情報およびＵＭＡ料金請求情報をカプセル化させるための方法は、移動局（ＭＳ）位置情報を圧縮すること、再調整すること、および再パッケージ化することのうちの少なくとも１つを引き起こし、それによって、ＭＳ位置情報の一部が未使用になるように、当該ＭＳ位置情報によって占有されたＧＳＭ  エッジ無線アクセスネットワーク（ＧＥＲＡＮ）セルグローバル識別（ＣＧＩ）構造要素のスペースを保持しているＭＳ位置情報の量が削減されるように、加入者デバイスにサービス提供している独立型ＵＭＡネットワークアクセスセッションの間に、少なくとも１つのアルゴリズムを当該ＭＳの位置情報に適用するための動作と、ＵＭＡ料金請求情報を、スペースを保持している当該ＭＳ位置情報の未使用部分の少なくとも一部内に挿入するための動作とを含み得ることを理解されよう。
【００１４】
さらに、本明細書で行われる開示に鑑みて、当業者は、サーバまたはゲートウェイは、本発明の実施形態による方法を実行するように構成され得ることを理解されよう。したがって、本発明に従って構成されたかかるサーバまたはゲートウェイは、独立型ＵＭＡネットワークアクセスセッションの間に、単一のＣＧＩ構造要素内でＧＳＭ位置情報およびＵＭＡ料金請求情報をカプセル化させることが可能になる。
【００１５】
本発明による単一のＵＭＡ  ＣＧＩがネットワーク内で適切に機能するために、様々なネットワークエンティティは、通常の構造または標準構造からある種の修正を必要とする可能性がある。これらの修正の多くは、実装論理に何の影響も及ぼさないような構成変更である。ＭＳＣ（モバイルサービススイッチングセンタ）に関して、例えば、ＵＭＡハンドオーバＣＧＩを構成すること、かつＵＭＡ  ＣＧＩに関する緊急呼経路指定を構成することが必要な場合がある。ＧＧＷ（ＧＰＲＳゲートウェイ）に関して、例えば、正確なＵＭＡ  ＲＡＩ（経路指定エリア識別）を用いて、それぞれのＬＵＰＳ（論理ＵＮＣパケットスイッチ）を構成することが必要な場合がある。ＵＭＡデータベースに関して、例えば、ＵＭＡ料金請求オプションをサポートするために、正確なデータベース表／表エントリを構成することが必要な場合ある。ＬＥＡ（法執行機関）によって求められる機能性に関して、例えば、ＵＭＡ  ＣＧＩからＧＳＭ  ＣＧＩを取り出すための機能を追加することが必要な場合がある。バックエンドオフィス料金請求システムに関して、例えば、ＵＭＡ  ＣＧＩから料金請求オプションを取り出すための機能を追加することが必要な場合がある。
【００１６】
次に図２を参照すると、３ＧＰＰ  ＴＳ２４．００８（すなわち、第３世代パートナーシッププロジェクト技術仕様書２４．０００８）によるＧＥＲＡＮロケーションエリア識別（ＬＡＩ）２００が示される。ロケーションエリア識別（ＬＡＩ）２００は、ＭＣＣ（モバイルカントリーコード）コンテンツ、ＭＮＣ（モバイルネットワークコード）コンテンツ、およびＬＡＣ（ロケーションエリアコード）コンテンツを含む。図３に示すように、ＧＥＲＡＮ  ＣＧＩ構造要素３００は、ＬＡＩ２００（すなわち、そのＭＣＣコンテンツ、ＭＮＣコンテンツ、およびＬＡＣコンテンツ）とセル識別（ＣＩＤ）の連結である。図４を参照すると、本発明の実施形態による単一のＵＭＡ  ＣＧＩ構造要素４００が示される。ＵＭＡ  ＣＧＩ構造要素４００は、独立型ＵＭＡネットワークアクセスセッションの間に、ＵＲＲ登録受入れメッセージ内で、対応するモバイルデバイスに戻され、ロケーション更新の間にＭＳＣに送られ、完全層（ｃｏｍｐｌｅｔｅ  ｌａｙｅｒ）３メッセージ内でＭＳＣに送られるＣＧＩである。単一のＵＭＡ  ＣＧＩ４００は、ＧＥＲＡＮ  ＣＧＩ構造要素３００に基づくが、その中にカプセル化されたＵＭＡ料金請求情報を有する。ＵＭＡ料金請求情報をＧＥＲＡＮ  ＣＧＩ構造要素３００に追加するために、ＧＥＲＡＮ  ＣＧＩ構造要素内で作成された未使用のビットまたはバイトに関するＧＥＲＡＮ  ＭＳ位置情報（すなわち、ＬＡＩコンテンツ）を圧縮、または再調整／再パッケージ化するための１つもしくは複数のアルゴリズム。次いで、ＵＭＡ料金請求情報は、これらの未使用のビットまたはバイトの中に挿入される。一実施形態では、カスタマ特定のネットワーク構成に対して１つまたは複数のアルゴリズムが調整される。典型的には、ＧＥＲＡＮ  ＣＧＩ構造要素は、７バイトを含む：すなわち、ＭＣＣ／ＭＮＣ向けの３バイト、ＬＡＣ向けの２バイト、ＣＩＤ向けの２バイトである。図３および図４で理解され得るように、バイトの点で、ＧＥＲＡＮ  ＣＧＩ構造要素３００および単一のＵＭＡ  ＣＧＩ４００は、同じサイズである。
【００１７】
ＵＭＡ料金請求情報を生成することに関して、ＵＭＡセッションに関する登録時間に、免許不要のネットワークコントローラ（ＵＮＣ）は、それぞれのモバイル加入者（ＭＳ）向けの料金請求に関する情報を評価することになる。かかる評価された情報の例は、国際モバイル加入者識別（ＩＭＳＩ）情報、ＧＳＭ  ＣＧＩ情報、アクセスポイント（ＡＰ）情報、ＵＭＡ加入者プロファイル情報などを含むが、これらに限定されない。かかる情報の評価の１つの特定の事例では、ＵＮＣは、様々なＵＭＡデータベース内で規定されたデータと突き合わせて、ＭＳによって提供された情報を検証し、その後で、料金請求オプションが導出されて、主なＣＧＩ構成段階でＵＮＣ−ＣＳによる使用のための準備が整う。新しい料金請求オプションが定義されるたびに、新しいＵＭＡデータベース表が必要とされる場合があり、ＵＮＣ内の新しい処理論理が必要とされる可能性がある。かかるＵＭＡデータベースの例は、ＵＭＡアクセスポイントデータベース、ＵＭＡ  ＣＧＩデータベース、ＵＭＡ加入者データベース、ＵＭＡゾーンデータベース、ＵＭＡサービスタイプデータベースなどを含むが、これらに限定されない。このために、本発明による独立型ＵＭＡ  ＣＧＩ機能性を実装する際に、管理エンティティは、異なる使用パターンに関して、様々なＵＭＡ料金請求オプションを定義するために、サービスプロバイダと共働することになる。その後で、ＵＭＡデータベースは、適切に規定されることになり、料金請求オプションに関する適切な処理論理がＵＮＣに追加されることになる。
【００１８】
次に提示されるのは、ＵＭＡ料金請求情報が、ＧＥＲＡＮ  ＣＧＩのスペースを保持しているＭＳ位置情報の未使用部分のすべてまたは一部を占有することを可能にするように構成されたアルゴリズム構造の例である。これらの例および本明細書で行われる開示に鑑みて、当業者は、ＵＭＡ料金請求情報が、ＧＥＲＡＮ  ＣＧＩのスペースを保持しているＭＳ位置情報の未使用部分のすべてまたは一部を占有することを可能にするように適切に構成されたその他のアルゴリズム構造を考えることが可能である。
【００１９】
実施例１
この実施例において、ＵＭＡ  ＣＧＩ構成は、料金請求のために、論理ＵＮＣごとに、有限数のＵＭＡ  ＬＡＣを使用し、ＧＳＭ  ＣＧＩ内で位置情報をカプセル化するためにＵＭＡ  ＣＩＤを使用する。かかるＵＭＡ  ＣＧＩ構成を提供するアルゴリズムの特定の態様は、以下を含む：
ＵＭＡ登録時間の間、ＵＮＣ−ＣＳは、（ＵＭＡ  ＤＢ手順から）ＵＭＡ料金請求オプションおよび（利用可能な場合）ＧＳＭ  ＣＧＩを獲得する。
【００２０】
ＵＮＣ−ＣＳは、以下を実行する：
ＧＳＭ  ＬＡＩが利用可能であり、ＵＮＣ＿ＡＵＴＨＯＲＩＺＥＤ＿ＬＡＩ＿ＬＩＳＴ内にある（ＭＣＣ／ＭＮＣオプション１を意味する）場合、
ＵＭＣ  ＭＣＣ／ＭＮＣとしてＧＳＭ  ＭＣＣ／ＭＮＣを使用して、エントリにＮＯＤＥＩＤ（論理ＵＮＣ）を記録し、
ＵＮＣ＿ＯＮＥ＿ＣＧＩ＿ＵＭＡ＿ＬＡＣ表を探索するために、ＣＧＩ＿ＯＰＴＩＯＮ＿ＮＵＭＢＥＲ  ０、先のステップにおけるＮＯＤＥＩＤ、およびＵＭＡ料金請求オプションを使用して、結果として生じるＵＭＡ  ＬＡＣを使用し、
ＧｓｍＣｇｉＬａｃＵｓａｇｅＭａｓｋが０である（ＧＳＭ  ＣＩＤがフラットである）場合、ＵＭＡ  ＣＩＤとしてＧＳＭ  ＣＩＤを使用し、
そうでなく、ＧｓｍＣｇｉＬａｃＵｓａｇｅＭａｓｋ内の使用済みビット（ｎと仮定する）およびＧｓｍＣｇｉＣｉｄＵｓａｇｅＭａｓｋ内の使用済みビット（ｍと仮定する）の総和が≦１６である（マッピング表が必要でない）場合、ＵＭＡ  ＣＩＤを以下のように構成する：ＧＳＭ  ＬＡＣのｎ個の有意ビットをＵＭＡ  ＣＩＤのｕ個のＭＳＢ内に入れて、ＧＳＭ  ＣＩＤのｍ個の有意ビットをＵＭＡ  ＣＩＤの次のｍ個のＭＳＢ内に入れ、
そうでなく、ＧｓｍＣｇｉＬａｃＵｓａｇｅＭａｓｋ内およびＧｓｍＣｇｉＣｉｄＵｓａｇｅＭａｓｋ内の使用済みのビットの総和が＞１６である（マッピング表が必要である）場合、ＣＧＩ＿ＯＰＴＩＯＮ＿ＮＵＭＢＥＲ  ０、ＧＳＭ  ＭＣＣ／ＭＮＣ、ＧＳＭ  ＬＡＣ、およびＧＳＭ  ＣＩＤを使用して、ＵＮＣ＿ＯＮＥ＿ＣＧＩ＿ＵＭＡ＿ＣＩＤ＿ＭＡＰＰＩＮＧ表を調べることによって、ＵＭＡ  ＣＩＤを見つけ、
ＧＳＭ  ＬＡＩおよび（利用可能である場合）ＧＳＭ  ＲＡＣを使用して、ＵＮＣ＿ＯＮＥ＿ＣＧＩ＿ＲＡＣ＿ＭＡＰＰＩＮＧ表を探索して、ＵＭＡ  ＲＡＣ（経路指定エリアコード）を取得し、
ＬＵＰＳを見つけるために、ＵＭＡ  ＬＡＩおよびＵＭＡ  ＲＡＣを使用し、
そうでなく、ＧＳＭ  ＬＡＩが利用可能であるが、ＵＮＣ＿ＡＵＴＨＯＲＩＺＥＤ＿ＬＡＩ＿ＬＩＳＴ内にない（かつ、ＵｍａＯｎｅＣｇｉＭｃｃＭｎｃＯｐｔｉｏｎがオプション２を示す）場合、ＧＳＭ  ＭＣＣ／ＭＮＣ内の位置情報は、保存される必要がある：
ＮＯＤＥＩＤ（論理ＵＮＣ）を無作為に選択し、次いで、ＵＮＣ＿ＡＵＴＨＯＲＩＺＥＤ＿ＬＡＩ＿ＬＩＳＴ内のこの論理ＵＮＣに関するデフォルトＵＭＡ  ＬＡＩを見つけて、このデフォルトＵＭＡ  ＬＡＩからのＵＭＡ  ＭＣＣおよびＭＮＣを使用し、
ＵＮＣ＿ＯＮＥ＿ＣＧＩ＿ＵＭＣ＿ＬＡＣ表を探索するために、ＣＧＩ＿ＯＰＴＩＯＮ＿ＮＵＭＢＥＲ  ０、先のステップにおけるＮＯＤＥＩＤ番号、およびＵＭＡ料金請求オプションを使用して、結果として生じるＵＭＡ  ＬＡＣを使用し、
ＧＳＭ  ＬＡＩおよび（利用可能な場合）ＧＳＭ  ＲＡＣを使用して、ＵＮＣ＿ＯＮＥ＿ＣＧＩ＿ＲＡＣ＿ＭＡＰＰＩＮＧ表を探索し、ＵＭＡ  ＲＡＣを取得し、
ＣＧＩ＿ＯＰＴＩＯＮ＿ＮＵＭＢＥＲ  ０およびＧＳＭ  ＣＧＩを使用して、ＵＮＣ＿ＯＮＥ＿ＣＧＩ＿ＵＭＡ＿ＣＩＤ＿ＭＡＰＰＩＮＧ表を調べることによって、ＵＭＡ  ＣＩＤを見つけ、
ＬＵＰＳを見つけるために、ＵＭＡ  ＬＡＩおよびＩＭＡ  ＲＡＣを使用する。
【００２１】
そうでなく、ＧＳＭ  ＬＡＩが利用可能でない場合、またはＧＳＭ  ＬＡＩが利用可能であるが、ＵＮＣ＿ＡＵＴＨＯＲＩＺＥＤ＿ＬＡＩ＿ＬＩＳＴ内に含まれない（かつ、ＵｍａＯｎｅＣｇｉＭｃｃＭｎｃＯｐｔｉｏｎがオプション１を示す）場合、
ＮＯＤＥＩＤ（論理ＵＮＣ）を無作為に選択し、次いで、ＵＮＣ＿ＡＵＴＨＯＲＩＺＥＤ＿ＬＡＩ＿ＬＩＳＴ内のこの論理ＵＮＣに関するデフォルトＵＭＡ  ＬＡＩを見つけて、このデフォルトＵＭＡ  ＬＡＩからのＵＭＡ  ＭＣＣおよびＭＮＣを使用し、
ＵＮＣ＿ＯＮＥ＿ＣＧＩ＿ＵＭＡ＿ＬＡＩ表を探索するために、ＣＧＩ＿ＯＰＴＩＯＮ＿ＮＵＭＢＥＲ  ０、先のステップにおけるＮＯＤＥＩＤ番号、およびＵＭＡ料金請求オプションを使用して、結果として生じるＵＭＡ  ＬＡＣを使用し、
このＵＭＡ  ＬＡＩおよび（利用可能な場合）ＧＳＭ  ＲＡＣを使用して、ＵＮＣ＿ＯＮＥ＿ＣＧＩ＿ＲＡＣ＿ＭＡＰＰＩＮＧ表を探索して、ＵＭＡ  ＲＡＣを取得し、
ＬＵＰＳを見つけるためにＵＭＡ  ＬＡＩおよびＵＭＡ  ＲＡＣを使用し、
ＳｇｓｎＡｃｃｅｐｔＳａｍｅＣｇｉＦｒｏｍＴｗｏＮｓｅが１である場合、このＬＵＰＳに関するデフォルトＵＭＡ  ＣＩＤ  ０×００００を使用し（料金請求はＵＭＡ  ＬＡＣによって処理され）、
ＳｇｓｎＡｃｃｅｐｔＳａｍｅＣｇｉＦｒｏｍＴｗｏＮｓｅが０である場合、ＬＵＰＳ番号を空のＣＩＤ（０×００００）の５ＬＢＳ（最小限ビット）内に入れることによって、デフォルトＵＭＡ  ＣＩＤを構成する。
【００２２】
実施例２
この実施例では、ＵＭＡ  ＣＧＩ構成は、論理ＵＮＣごとに固定ＵＭＡ  ＬＡＣを使用して、ＧＳＭ  ＣＧＩ内の位置情報、ならびに料金請求オプションをカプセル化するために、ＵＭＡ  ＣＩＤを使用する。かかるＵＭＡ  ＣＧＩ構成を提供するアルゴリズムの特定の態様は、以下を含む：
ＵＭＡ登録時間の間、ＵＮＣ−ＣＳは、（ＵＭＡ  ＤＢ手順から）ＵＭＡ料金請求オプションおよび（利用可能な場合）ＧＳＭ  ＣＧＩを獲得し、
ＵＮＣ−ＣＳは以下を実行する：
ＧＳＭ  ＬＡＩが利用可能であり、ＵＮＣ＿ＡＵＴＨＯＲＩＺＥＤ＿ＬＡＩ＿ＬＩＳＴ内にある（ＭＣＣ／ＭＮＣオプション１を意味する）場合：
ＵＭＡ  ＭＣＣ／ＭＮＣとしてＧＳＭ  ＭＣＣ／ＭＮＣを使用して、エントリにＮＯＤＥＩＤ（論理ＵＮＣ）を記録し、
ＵＮＣ＿ＯＮＥ＿ＣＧＩ＿ＵＭＡ＿ＬＡＣ表を探索するために、ＣＧＩ＿ＯＰＴＩＯＮ＿ＮＵＭＢＥＲ  １、先のステップにおけるＮＯＤＥＩＤ番号を使用して、結果として生じる、ＵＭＡ  ＬＡＣを使用し、
ＧｓｍＣｇｉＬａｃＵｓａｇｅＭａｓｋ内の使用済みビット（ｎと仮定する）、ＧｓｍＣｇｉＣｉｄＵｓａｇｅＭａｓｋ内の使用済みビット（ｍと仮定する）、およびＮｕｍ＿Ｂｉｌｌｉｎｇ＿Ｂｉｔｓ内の使用済みビット（「必要とされる料金請求ビットの数を作成する」を参照されたい。ｋと仮定する）の総和が≦１６である（マッピング表が必要でない）場合、以下のようにＵＭＡ  ＣＩＤを構成する：ＧＳＭ  ＬＡＣのｎ個の有意ビットをＵＭＡ  ＣＩＤのｎ個のＭＳＢ内に入れて、ＧＳＭ  ＣＩＤのｍ個の有意ビットをＵＭＡ  ＣＩＤの次のｍ個のＭＳＢ内に入れ、料金請求オプションをＵＭＡ  ＣＩＤのｋ個のＬＳＢ内に入れ、
そうでなく、ＧｓｍＣｇｉＬａｃＵｓａｇｅＭａｓｋ内の使用済みビット、ＧｓｍＣｇｉＣｉｄＵｓａｇｅＭａｓｋ内ｎの使用済みビット、およびＮｕｍ＿Ｂｉｌｌｉｎｇ＿Ｂｉｔｓ内の使用済みビットの総和が＞１６（マッピング表が必要である）である場合、ＣＧＩ＿ＯＰＴＩＯＮ＿ＮＵＭＢＥＲ１、ＧＳＭ  ＭＣＣ／ＭＮＣ、ＧＳＭ  ＬＡＣ、ＧＳＭ  ＣＩＤ、および料金請求オプションを使用して、ＵＮＣ＿ＯＮＥ＿ＣＧＩ＿ＵＭＡ＿ＣＩＤ＿ＭＡＰＰＩＮＧ表を調べることによって、ＵＭＡ  ＣＩＤを見つけ、
ＧＳＭ  ＬＡＩおよび（利用可能な場合）ＧＳＭ  ＲＡＣを使用して、ＵＮＣ＿ＯＮＥ＿ＣＧＩ＿ＲＡＣ＿ＭＡＰＰＩＮＧ表を調べて、ＵＭＡ  ＲＡＣを取得し、
ＬＵＰＳを見つけるために、ＵＭＡ  ＬＡＩおよびＵＭＡ  ＲＡＣを使用し、
そうでなく、ＧＳＭ  ＬＡＩが利用可能であるが、ＵＮＣ＿ＡＵＴＨＯＲＩＺＥＤ＿ＬＡＩ＿ＬＩＳＴ内になく（かつ、ＵｍａＯｎｅＣｇｉＭｃｃＭｎｃＯｐｔｉｏｎがオプション２を示す）場合、ＧＳＭ  ＭＣＣ／ＭＮＣ内の位置情報は、保存される必要がある：
ＮＯＤＥＩＤ（論理ＵＮＣ）を無作為に選択し、次いで、ＡＵＴＨＯＲＩＺＥＤ＿ＬＡＩ＿ＬＩＳＴ内のこの論理ＵＮＣに関するデフォルトＵＭＡ  ＬＡＩを見つけて、このデフォルトＵＭＡ  ＬＡＩからのＵＭＡ  ＭＣＣおよびＭＮＣを使用し、
ＵＮＣ＿ＯＮＥ＿ＣＧＩ＿ＵＭＡ＿ＬＡＣ表を調べるために、ＣＧＩ＿ＯＰＴＩＯＮ＿ＮＵＭＢＥＲ  １、および先のステップにおけるＮＯＤＥＩＤ番号を使用して、結果として生じるＵＭＡ  ＬＡＣを使用し、
このＧＳＭ  ＬＡＩおよび（利用可能な場合）ＧＳＭ  ＲＡＣを使用して、ＵＮＣ＿ＯＮＥ＿ＣＧＩ＿ＲＡＣ＿ＭＡＰＰＩＮＧ表を調べて、ＵＭＡ  ＲＡＣを取得し、
ＣＧＩ＿ＯＰＴＩＯＮ＿ＮＵＭＢＥＲ  １、ＧＳＭ  ＣＧＩ、および料金請求オプションを使用して、ＵＮＣ＿ＯＮＥ＿ＣＧＩ＿ＵＭＡ＿ＣＩＤ＿ＭＡＰＰＩＮＧ表を調べることによって、ＵＭＡ  ＣＩＤを見つけ、
ＬＵＰＳを見つけるために、ＵＭＡ  ＬＡＩおよびＵＭＡ  ＲＡＣを使用し、
そうでなく、ＧＳＭ  ＬＡＩが利用可能でない場合、またはＧＳＭ  ＬＡＩが利用可能であるが、ＵＮＣ＿ＡＵＴＨＯＲＩＺＥＤ＿ＬＡＩ＿ＬＩＳＴ内にない（かつ、ＵｍａＯｎｅＣｇｉＭｃｃＭｎｃＯｐｔｉｏｎがオプション１を示す）場合：ＮＯＤＥＩＤ（論理ＵＮＣ）を無作為に選択し、次いで、ＵＮＣ＿ＡＵＴＨＯＲＩＺＥＤ＿ＬＡＩ＿ＬＩＳＴ内のこの論理ＵＮＣに関するデフォルトＵＭＡ  ＬＡＩを見つけて、このデフォルトＵＭＡ  ＬＡＩからのＵＭＡ  ＭＣＣおよびＭＮＣを使用し、
ＵＮＣ＿ＯＮＥ＿ＣＧＩ＿ＵＭＡ＿ＬＡＣ表を調べるために、ＣＧＩ＿ＯＰＴＩＯＮ＿ＮＵＭＢＥＲ  １、先のステップにおけるＮＯＤＥＩＤ番号を使用して、結果として生じるＵＭＡ  ＬＡＣを使用し、
このＵＭＡ  ＬＡＩおよび（利用可能な場合）ＧＳＭ  ＲＡＣを使用して、ＯＮＥ＿ＣＧＩ＿ＲＡＣ＿ＭＡＰＰＩＮＧ表を調べて、ＵＭＡ  ＲＡＣを取得し、
ＬＵＰＳを見つけるために、ＵＭＡ  ＬＡＩおよびＵＭＡ  ＲＡＣを使用し、
ＳｇｓｎＡｃｃｅｐｔＳａｍｅＣｇｉＦｒｏｍＴｗｏＮｓｅが１である場合、料金請求オプションを、第６番目のＬＳＢから初めて、空のＣＩＤ（０×００００）のＮｕｍ＿Ｂｉｌｌｉｎｇ＿Ｂｉｔｓ  ＬＳＢ内に入れることによって、デフォルトＵＭＡ  ＣＩＤを構成し、
ＳｇｓｎＡｃｃｅｐｔＳａｍｅＣｇｉＦｒｏｍＴｗｏＮｓｅが０である場合、ＬＵＰＳ番号を空のＣＩＤ（０×００００）の５ＬＳＢ内に入れて、料金請求オプションをＣＩＤの次のＮｕｍ＿Ｂｉｌｌｉｎｇ＿ＢｉｔｓＬＳＢ内に入れることによって、デフォルトＵＭＡ  ＣＩＤを構成する。
【００２３】
実施例３
この実施例では、ＵＭＡ  ＣＧＩ構成は、ＵＭＡ  ＬＡＣとしてＧＳＭ  ＬＡＣを再使用し、ＧＳＭ  ＣＩＤ内の位置情報、ならびに料金請求オプションをカプセル化するために、ＵＭＡ  ＣＩＤを使用する。かかるＵＭＡ  ＣＧＩ構成を提供するアルゴリズムの特定の態様は、以下を含む：
ＵＭＡ登録時間の間に、ＵＮＣ−ＣＳは、（ＵＭＡ  ＤＢ手順から）ＵＭＡ料金請求オプションおよび（利用可能な場合）ＧＳＭ  ＣＧＩを獲得し、
ＵＮＣ−ＣＳは以下を実行する：
ＧＳＭ  ＬＡＩが利用可能であり、ＵＮＣ＿ＡＵＴＨＯＲＩＺＥＤ＿ＬＡＩ＿ＬＩＳＴ内にある（ＭＣＣ／ＭＮＣオプション１を意味する）場合：
ＵＭＡ  ＬＡＩとしてＧＳＭ  ＬＡＩを使用し、エントリにＮＯＤＥＩＤ（論理ＵＮＣ）を記録し、
ＧｓｍＣｇｉＣｉｄＵｓａｇｅＭａｓｋ内の使用済みビット（ｍと仮定する）、およびＮｕｍ＿Ｂｉｌｌｉｎｇ＿Ｂｉｔｓ内の使用済みビット（必要とされる料金請求ビットの数を作成する、ｋと仮定する）の総和が≦１６である（マッピング表が必要でない）場合、以下のようにＵＭＡ  ＣＩＤを構成する（ＵＭＡ  ＬＡＣはＧＳＭ  ＬＡＣに等しいため、ＵＭＡ  ＣＩＤは、既存のＵＭＡ  ＣＩＤと衝突し得ない）：ＧＳＭ  ＣＩＤのｍ個の有意ビットをＵＭＡ  ＣＩＤにコピーして、料金請求オプションを（ＬＳＢから開始して）ＵＭＡ  ＣＩＤのｋ個の空のビット内に入れ、
そうでなく、ＧｓｍＣｇｉＣｉｄＵｓａｇｅＭａｓｋ内の使用済みビット、およびＮｕｍ＿Ｂｉｌｌｉｎｇ＿Ｂｉｔｓ内の使用済みビットの総和が＞１６である（マッピング表が必要である）場合、ＣＧＩ＿ＯＰＴＩＯＮ＿ＮＵＭＢＥＲ  ２、ＧＳＭ  ＭＣＣ／ＭＮＣ、ＧＳＭ  ＣＩＤ、および料金請求オプションを使用して、ＵＮＣ＿ＯＮＥ＿ＣＧＩ＿ＵＭＡ＿ＣＩＤ＿ＭＡＰＰＩＮＧ表を調べることによって、ＵＭＡ  ＣＩＤを見つけ、ＧＳＭ  ＬＡＩおよび（利用可能な場合）ＧＳＭ  ＲＡＣを使用して、ＵＮＣ＿ＯＮＥ＿ＣＧＩ＿ＲＡＣ＿ＭＡＰＰＩＮＧ表を調べて、ＵＭＡ  ＲＡＣを取得し、
ＬＵＰＳを見つけるために、ＵＭＡ  ＬＡＩおよびＵＭＡ  ＲＡＣを使用する。
【００２４】
そうでなく、ＧＳＭ  ＬＡＩが利用可能であるが、ＵＭＣ＿ＡＵＴＨＯＲＩＺＥＤ＿ＬＡＩ＿ＬＩＳＴ内にない（かつ、ＵｍａＯｎｅＣｇｉＭｃｃＭｎｃオプションが２を示す）場合、ＧＳＭ  ＭＣＣ／ＭＮＣ内の位置情報は保存される必要があり、
ＮＯＤＥＩＤ（論理ＵＮＣ）を無作為に選択し、次いで、ＵＮＣ＿ＡＵＴＨＯＲＩＺＥＤ＿ＬＡＩ＿ＬＩＳＴ内のこの論理ＵＮＣに関するデフォルトＵＭＡを見つけて、このデフォルトＵＭＡ  ＬＡＩを使用し、
ＧＳＭ  ＬＡＩおよび（利用可能な場合）ＧＳＭ  ＲＡＣを使用して、ＵＮＣ＿ＯＮＥ＿ＣＧＩ＿ＲＡＣ＿ＭＡＰＰＩＮＧ表を調べて、ＵＭＡ  ＲＡＣを取得し、
ＣＧＩ＿ＯＰＴＯＮ＿ＮＵＭＢＥＲ２、ＧＳＭ  ＣＧＩ、および料金請求オプションを使用して、ＵＭＣ＿ＯＮＥ＿ＣＧＩ＿ＵＭＡ＿ＣＩＤ＿ＭＡＰＰＩＮＧ表を調べることによって、ＵＭＡ  ＣＭを見つけて、
ＬＵＰＳを見つけるために、ＵＭＡ  ＬＡＩおよびＵＭＡ  ＲＡＣを使用し、
そうでなく、ＧＳＭ  ＬＡＩが利用可能でない場合、またはＧＳＭ  ＬＡＩが利用可能であるが、ＵＮＣ＿ＡＵＴＨＯＲＩＺＥＤ＿ＬＡＩ＿ＬＩＳＴ内にない（かつ、ＵｍａＯｎｅＣｇｉＭｃｃＭｎｃＯｐｔｉｏｎがオプション１を示す）場合、
ＮＯＤＥＩＤ（論理ＵＮＣ）を無作為に選択し、次いで、ＵＮＣ＿ＡＵＴＨＯＲＩＺＥＤ＿ＬＡＩ＿ＬＩＳＴ内のこの論理ＵＮＣに関するデフォルトＵＭＡ  ＬＡＩを見つけて、このデフォルトＵＭＡ  ＬＡＩを使用し、
このＵＭＡ  ＬＡＩおよび（利用可能な場合）ＧＳＭ  ＲＡＣを使用して、ＵＮＣ＿ＯＮＥ＿ＣＧＩ＿ＲＡＣ＿ＭＡＰＰＩＮＧ表を調べて、ＵＭＡ  ＲＡＣを取得し、
ＬＵＰＳを見つけるために、ＵＭＡ  ＬＡＩおよびＵＭＡ  ＲＡＣを使用し、
ＳｇｓｎＡｃｃｅｐｔＳａｍｅＣｇｉＦｒｏｍＴｗｏＮｓｅが１である場合、料金請求オプションを、第６番目のＬＳＢから開始して、空のＣＩＤ（０×００００）のＮＵＭ＿ＢＩＬＬＩＮＧ＿ＢＩＴＳ＿ＬＳＢ内に入れることによって、デフォルトＵＭＡ  ＣＩＤを構成し、
ＳｇｓｎＡｃｃｅｐｔＳａｍｅＣｇｉＦｒｏｍＴｗｏＮｓｅが０である場合、ＬＵＰＳ番号を空のＣＩＤ（０×００００）の５ＬＳＢ内に入れて、料金請求オプションをＣＩＤの次のＮｕｍ＿Ｂｉｌｌｉｎｇ＿ＢｉｔｓＬＳＢ内に入れることによって、デフォルトＵＭＡ  ＣＩＤを構成する。
【００２５】
次に、データ処理デバイスによって処理可能な命令を参照すると、本明細書で開示された独立型ＵＭＡ  ＣＧＩ機能性を実行するように構成された方法、プロセス、および／または動作は、かかる機能性を実行するように構成された命令を有するコンピュータ可読媒体によって明白に実施されることが、本明細書で行われる開示から理解されよう。１つの特定の実施形態では、これらの命令は、上で議論された図１の方法１００を実行するため、かつ／または図２−図４の機能性をＣＧＩ修正するために明白に実施される。これらの命令は、メモリ装置（例えば、ＲＡＭ、ＲＯＭ、仮想メモリ、ハードドライブメモリなど）からの、データ処理システムのドライブユニットによって読み取り可能な装置（例えば、ディスケット、コンパクトディスク、テープカートリッジなど）からの、またはそれら両方からの１つもしくは複数のデータ処理デバイスによってアクセス可能であり得る。したがって、本発明によるコンピュータ可読媒体の実施形態は、コンパクトディスク、ハードドライブ、ＲＡＭ、または本発明による独立型ＵＭＡ  ＣＧＩ機能性を実行するように構成されたコンピュータプログラム（すなわち、命令）をその上にイメージした、その他のタイプの記憶装置を含む。先の詳細な説明において、その一部を形成し、例として、本発明が実施され得る特定の実施形態が示される添付図面が参照されている。これらの実施形態、およびそのいくつかの改変形態は、当業者が、本発明の実施形態を実施することを可能にするために十分詳細に説明されている。その他の適切な実施形態が利用されることが可能であり、かかる発明の開示の趣旨または範囲から逸脱せずに、論理的変更、機械的変更、化学的変更、および電気的変更が行われ得る点を理解されたい。不要な詳細を避けるために、この説明は、当業者に知られているある種の情報を省略する。先の詳細な説明は、したがって、本明細書に記載された特定の形態に限定されることが意図されず、反対に、添付の特許請求の趣旨内および範囲内に合理的に含まれ得る、かかる代替形態、修正形態、ならびに均等物を対象とすることが意図される。
【図１】
2011503972.tif 000003
【図２】
2011503972.tif 000004
【図３】
2011503972.tif 000005
【図４】
2011503972.tif 000006
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
独立型ＵＭＡネットワークアクセスセッションの間に、単一のＣＧＩ構造的要素内でＧＳＭ位置情報およびＵＭＡ料金請求情報をカプセル化させるための方法であって、
独立型ＵＭＡネットワークアクセスセッションの間に、加入者デバイスにサービス提供している移動局（ＭＳ）の位置情報を含む、ＧＳＭ／ＥＤＧＥ無線アクセスネットワーク（ＧＥＲＡＮ）セルグローバル識別（ＣＧＩ）構造的要素を提供することと、
ＭＳ置情報の一部が未使用になるように、前記ＭＳ位置情報によって占有されたＧＥＲＡＮ  ＣＧＩ構造的要素のスペースを保持しているＭＳ位置情報の量を削減する目的で、前記ＭＳ位置情報を操作することであって、スペースを保持している前記ＭＳ位置情報の前記未使用部分が作成された後で、スペースを保持している前記ＭＳ位置情報の中に前記ＭＳ位置情報が依然として残るように、スペースを保持している前記ＭＳ位置情報の前記未使用部分を作成することを含む、操作することと、
ＵＭＡ料金請求情報を用いて、スペースを保持している前記ＭＳ位置情報の前記未使用部分の少なくとも一部を占有することとを含む、方法。
【請求項２】
前記ＭＳ位置情報を操作することが、少なくとも１つのネットワーク特定のアルゴリズムを前記ＭＳ位置情報に適用することを含む、請求項１に記載の方法。
【請求項３】
前記少なくとも１つのアルゴリズムを適用することが、前記ＭＳ位置情報の圧縮、再調整、および再パッケージのうちの少なくとも１つを引き起こす、請求項２に記載の方法。
【請求項４】
前記ＭＳ位置情報を操作することが、前記ＭＳ位置情報を圧縮すること、再調整すること、および再パッケージ化することのうちの少なくとも１つを含む、請求項１に記載の方法。
【請求項５】
前記ＭＳ位置情報が、ロケーションエリア識別（ＬＡＩ）情報およびセル識別（ＣＩＤ）情報を含む、請求項１に記載の方法。
【請求項６】
ＵＭＡ料金請求情報を用いて、前記保持しているスペースの前記未使用部分を占有することが、前記ＵＭＡ料金請求情報を、スペースを保持している前記ＭＳ位置情報の前記未使用部分の少なくとも一部内に挿入することを含む、請求項１に記載の方法。
【請求項７】
前記ＭＳ位置情報を操作することが、少なくとも１つのネットワーク特定のアルゴリズムを前記ＭＳ位置情報に適用することを含む、請求項６に記載の方法。
【請求項８】
前記ＭＳ位置情報が、ロケーションエリア識別（ＬＡＩ）情報およびセル識別（ＣＩＤ）情報を含む、請求項７に記載の方法。
【請求項９】
前記少なくとも１つのアルゴリズムを適用することが、前記ＭＳ位置情報の圧縮、再位置合わせ、および再パッケージ化のうちの少なくとも１つを引き起こす、請求項８に記載の方法。
【請求項１０】
独立型ＵＭＡネットワークアクセスセッションの間に、単一のＣＧＩ構造要素内で、ＧＳＭ位置情報およびＵＭＡ料金請求情報をカプセル化させることが可能なサーバまたはゲートウェイであって、
独立型ＵＭＡネットワークアクセスセッションの間に、加入者デバイスにサービス提供している移動局（ＭＳ）の位置情報を含む、ＧＳＭ／ＥＤＧＥ無線アクセスネットワーク（ＧＥＲＡＮ）セルグローバル識別（ＣＧＩ）構造要素を提供し、
ＭＳ位置情報の一部が未使用になるように、前記ＭＳ位置情報によって占有されたＧＥＲＡＮ  ＣＧＩ構造要素のスペースを保持しているＭＳ位置情報の量を削減する目的で、前記ＭＳ位置情報を操作し、前記操作がスペースを保持している前記ＭＳ位置情報の前記未使用部分が作成された後で、スペースを保持している前記ＭＳ位置情報の中に前記ＭＳ位置情報が依然として残るように、スペースを保持している前記ＭＳ位置情報の前記未使用部分を作成することを含み、
ＵＭＡ料金請求情報を用いて、スペースを保持している前記ＭＳ位置情報の前記未使用の部分の少なくとも一部を占有するように構成された、サーバまたはゲートウェイ。
【国際調査報告】
2011503972.tif 000007
2011503972.tif 000008